【手続補正書】
【提出日】令和3年9月29日(2021.9.29)
【手続補正１】
【補正対象書類名】特許請求の範囲
【補正対象項目名】全文
【補正方法】変更
【補正の内容】
【特許請求の範囲】
【請求項１】
デジタルスライド走査装置（５５０）であって、前記デジタルスライド走査装置（５５０）は、
走査中にスライド（１５０）を支持するように構成される支持面（１３４）を含むステージ（１００）と、
前記ステージに取り付けられる基準縁部（１１０）と、
前記ステージに取り付けられる可動対向縁部（１２０）と、
少なくとも１つのプロセッサと、
を備え、
前記スライドは、第１の側面および前記第１の側面に対向する第２の側面を含み、
前記基準縁部の対面側面は、スライドが前記支持面上にあるときに、前記基準縁部の前記対面側面が前記スライドの前記第１の側面に面するように、前記支持面より上に延在し、
前記可動対向縁部の対面側面は、スライドが前記支持面上にあるときに、前記可動対向縁部の前記対面側面が前記スライドの前記第２の側面に対向するように、前記支持面より上に延在し、前記可動対向縁部（１２０）は前記基準縁部（１１０）に向かい、および、前記基準縁部（１１０）から離れて移動するように構成され、
前記少なくとも１つのプロセッサは、
スライド（１５０）が、スライドを保持するように構成される複数のスロットを含むスライドラック中のスロットから前記ステージ（１００）の前記支持面上に装着されているときに、いかなる圧力も前記可動対向縁部（１２０）から前記スライドの前記第２の側面に加えないために、前記可動対向縁部（１２０）が前記スライドの前記第２の側面から離れて残るように制御し、
前記スライド（１５０）が走査されているときに、前記可動対向縁部（１２０）から前記スライドの前記第２の側面に第１の圧力量を加えるために、前記可動対向縁部が前記スライドの前記第２の側面に接触するように制御し、
前記スライドが前記ステージ（１００）の前記支持面から前記スライドラック中のスロット中に脱着されているときに、前記可動対向縁部（１２０）から前記スライドの前記第２の側面に、前記第１の圧力量未満である第２の圧力量を加えるために、前記可動対向縁部（１２０）が前記スライドの前記第２の側面に接触するように制御する、
ように構成される、
デジタルスライド走査装置（５５０）。
【請求項２】
スライドが前記支持面上にあるときに、前記基準縁部（１１０）の前記対面側面の上部が前記スライドに接触し、前記基準縁部の前記対面側面の下部が前記スライドから離れて凹部を形成されるように、前記基準縁部の前記対面側面は、前記支持面（１３４）に対して傾斜し、
前記基準縁部の前記対面側面の前記上部は、前記スライドに接触し、前記基準縁部の前記対面側面の前記上部は、前記スライド上で前記支持面に向かい圧力を加える、
請求項１に記載のデジタルスライド走査装置。
【請求項３】
スライドが前記支持面上にあるときに、前記基準縁部の前記対面側面の上部が前記スライドに接触し、前記可動対向縁部の前記対面側面の下部が前記スライドから離れて凹部を形成されるように、前記可動対向縁部（１２０）の前記対面側面は、前記支持面に対して傾斜し、
前記可動対向縁部の前記対面側面の前記上部が前記スライドに接触するときに、前記可動対向縁部の前記対面側面の前記上部は、前記スライド上で前記支持面に向かい圧力を加える、
請求項１に記載のデジタルスライド走査装置。
【請求項４】
前記可動対向縁部は、前記基準縁部に向かい、または、前記基準縁部から離れて枢動するアームを備える、
請求項１に記載のデジタルスライド走査装置。
【請求項５】
前記アームは、ばねアームであり、前記ステージは、前記ばねアームを作動させ、前記基準縁部に向かい、または、前記基準縁部から離れて枢動させるように構成されるばね（１４２）をさらに備える、
請求項４に記載のデジタルスライド走査装置。
【請求項６】
前記ばねは、線形ばね（１４２）である、
請求項５に記載のデジタルスライド走査装置。
【請求項７】
前記デジタルスライド走査装置は、前記アームに取り付けられるロータリーベアリング（１４０）をさらに備え、前記少なくとも１つのプロセッサは、前記ロータリーベアリングを介して前記アームを枢動させるように構成される、
請求項４から６のいずれか１項に記載のデジタルスライド走査装置。
【請求項８】
スライドが前記スライドラックのスロットから前記支持面上に装着されるときに、前記少なくとも１つのプロセッサは、前記可動対向縁部が前記基準縁部から離れて移動するように制御する、
請求項１から６のいずれかに記載のデジタルスライド走査装置。
【請求項９】
前記デジタルスライド走査装置は、
スライドを保持するように構成される複数のスロットを含むスライドラックと、
前記スライドラック中の前記複数のスロットのそれぞれから前記支持面上にスライドを装着し、前記支持面から前記スライドラック中の前記複数のスロットのそれぞれの中に脱着するように構成される組立体と、
をさらに備え、
前記少なくとも１つのプロセッサは、前記組立体を制御して、前記スライドラック中の前記複数のスロットのそれぞれから前記支持面上にスライドを装着させ、前記支持面から前記スライドラック中の前記複数のスロットのそれぞれの中にスライドを脱着させるように構成される、
請求項１に記載のデジタルスライド走査装置。
【請求項１０】
前記基準縁部は、前記複数のスロットの側部に平行であり、前記側部に整列する、
請求項９に記載のデジタルスライド走査装置。
【請求項１１】
前記支持面は、貫通孔を備え、前記貫通孔を通してスライドガラスは、前記支持面上にある間に、照明されることができる、
請求項１に記載のデジタルスライド走査装置。
【請求項１２】
前記デジタルスライド走査装置は、スライドガラスが走査されている間に、前記貫通孔を通して、前記支持面より下から、前記支持面上の前記スライドガラスを照明するように構成される照明系をさらに備える、
請求項１１に記載のデジタルスライド走査装置。
【請求項１３】
各スライドは、対向する長辺側部および対向する短辺側部を備える矩形であり、前記第１の側面および前記第２の側面は、各スライドの前記対向する長辺側部上にある、
請求項１に記載のデジタルスライド走査装置。
【請求項１４】
デジタルスライド走査装置におけるステージ（１００）を制御する方法であって、
前記デジタルスライド走査装置（５５０）は、
走査中にスライド（１５０）を支持するように構成される支持面（１３４）を含む前記ステージと、
前記ステージに取り付けられる基準縁部（１１０）と、
前記ステージに取り付けられる可動対向縁部（１２０）と、
少なくとも１つのプロセッサと、
を備え、
前記スライドは、第１の側面および前記第１の側面に対向する第２の側面を含み、
前記基準縁部の対面側面は、スライドが前記支持面上にあるときに、前記基準縁部の前記対面側面が前記スライドの前記第１の側面に対向するように、前記支持面より上に延在し、
前記可動対向縁部の対面側面は、スライドが前記支持面上にあるときに、前記可動対向縁部（１２０）の前記対面側面が前記スライドの前記第２の側面に対向するように、前記支持面より上に延在し、
前記方法は、前記少なくとも１つのプロセッサによって、
スライド（１５０）が、スライドを保持するように構成される複数のスロットを含むスライドラック中のスロットから前記ステージ（１００）の前記支持面（１３４）上に装着されているときに、いかなる圧力も前記可動対向縁部から前記スライドの前記第２の側面に加えないために、前記可動対向縁部（１２０）が前記スライドの前記第２の側面から離れて残るように制御することと、
前記スライドが走査されているときに、前記可動対向縁部から前記スライドの前記第２の側面に第１の圧力量を加えるために、前記可動対向縁部（１２０）が前記スライドの前記第２の側面に接触するように制御することと、
前記スライドが前記ステージの前記支持面（１３４）から前記スライドラック中のスロット中に脱着されているときに、前記可動対向縁部（１２０）から前記スライドの前記第２の側面に、前記第１の圧力量未満である第２の圧力量を加えるために、前記可動対向縁部（１２０）が前記スライドの前記第２の側面に接触するように制御することと、
を含む方法。